(57)【要約】【課題】外壁面にＯリングが装着されたハウジングの開口部を蓋体に形成された受け溝に容易に嵌め込んで、ハウジングに対する蓋体の取り付けを容易かつ確実に行うことができる内視鏡のコネクタ部を提供すること。【解決手段】Ｏリング１３を嵌め込むためのＯリング装着溝１４をハウジング１１の開口部１１ａの外壁面に全周にわたって形成すると共に、ハウジング１１の開口部１１ａの縁部が嵌め込まれる受け溝１５を蓋体１２に形成し、蓋体１２がハウジング１１の開口部に取り付けられる際に、ハウジング１１のＯリング装着溝１４に嵌め込まれているＯリング１３が蓋体１２側に触れるより先に、ハウジング１１の開口部１１ａの縁部が受け溝１５内に嵌まり込み始めるように受け溝１５の土手部１５ａの高さを設定した。【選択図】      図１
2005074122.tif 000002
【特許請求の範囲】
【請求項１】
可撓性連結管の端部に連結されているハウジングの開口面に取り付けられた蓋体に、光源装置に対して接続／離脱自在なコネクタが突設されて、上記蓋体と上記ハウジングとの間に生じる隙間をシールするためにＯリングが装着された内視鏡のコネクタ部において、
上記Ｏリングを嵌め込むためのＯリング装着溝を上記ハウジングの開口部の外壁面に全周にわたって形成すると共に、上記ハウジングの開口部の縁部が嵌め込まれる受け溝を上記蓋体に形成し、上記蓋体が上記ハウジングの開口部に取り付けられる際に、上記ハウジングのＯリング装着溝に嵌め込まれている上記Ｏリングが上記蓋体側に触れるより先に、上記ハウジングの開口部の縁部が上記受け溝内に嵌まり込み始めるように上記受け溝の土手部の高さを設定したことを特徴とする内視鏡のコネクタ部。
【発明の詳細な説明】
【技術分野】
【０００１】
この発明は、光源装置に対して着脱される内視鏡のコネクタ部に関する。
【背景技術】
【０００２】
内視鏡のコネクタ部は一般に、可撓性連結管の端部に連結されているハウジングの開口面に取り付けられた蓋体に、光源装置に対して接続／離脱自在なコネクタが突設されて、蓋体とハウジングとの間に生じる隙間をシールするためにＯリングが装着されている（例えば、特許文献１）。
【特許文献１】特開２００２−２８１３０
【発明の開示】
【発明が解決しようとする課題】
【０００３】
図４は、上述のような従来の内視鏡のコネクタ部を示しており、Ｏリング９１を嵌め込むためのＯリング装着溝９２がハウジング９３の開口部９３ａの外壁面に全周にわたって連続して形成され、ハウジング９３の開口部９３ａの縁部が嵌め込まれる受け溝９４が蓋体９５に形成されている。
【０００４】
しかし、そのような内視鏡のコネクタ部においては、図５に示されるように、蓋体９５がハウジング９３の開口部９３ａに取り付けられる際に、ハウジング９３の開口部９３ａの縁部が受け溝９４内に嵌まり込み始めるより先に、ハウジング９３のＯリング装着溝９２に嵌め込まれているＯリング９１が蓋体９５側に触れる。
【０００５】
そのため、それより後はＯリング９１を潰しながらハウジング９３の開口部９３ａの縁部を受け溝９４内に嵌め込まなければならないが、Ｏリング９１を均一に潰しながら嵌め込み作業をするのは非常に困難であり、どこかの位置でハウジング９３の開口部９３ａの先端面９３ｂが受け溝９４の内周側の土手部９４ａにぶつかってしまって、容易に組み立てることができない場合が多かった。
【０００６】
そこで本発明は、外壁面にＯリングが装着されたハウジングの開口部を蓋体に形成された受け溝に容易に嵌め込んで、ハウジングに対する蓋体の取り付けを容易かつ確実に行うことができる内視鏡のコネクタ部を提供することを目的とする。
【課題を解決するための手段】
【０００７】
上記の目的を達成するため、本発明の内視鏡のコネクタ部は、可撓性連結管の端部に連結されているハウジングの開口面に取り付けられた蓋体に、光源装置に対して接続／離脱自在なコネクタが突設されて、蓋体とハウジングとの間に生じる隙間をシールするためにＯリングが装着された内視鏡のコネクタ部において、Ｏリングを嵌め込むためのＯリング装着溝をハウジングの開口部の外壁面に全周にわたって形成すると共に、ハウジングの開口部の縁部が嵌め込まれる受け溝を蓋体に形成し、蓋体がハウジングの開口部に取り付けられる際に、ハウジングのＯリング装着溝に嵌め込まれているＯリングが蓋体側に触れるより先に、ハウジングの開口部の縁部が受け溝内に嵌まり込み始めるように受け溝の土手部の高さを設定したものである。
【発明の効果】
【０００８】
本発明によれば、蓋体がハウジングの開口部に取り付けられる際に、ハウジングのＯリング装着溝に嵌め込まれているＯリングが蓋体側に触れるより先に、ハウジングの開口部の縁部が受け溝内に嵌まり込み始めるので、外壁面にＯリングが装着されたハウジングの開口部を蓋体に形成された受け溝に容易に嵌め込んで、ハウジングに対する蓋体の取り付けを容易かつ確実に行うことができる。
【発明を実施するための最良の形態】
【０００９】
蓋体がハウジングの開口部に取り付けられる際に、ハウジング側に取り付けられているＯリングが蓋体に触り始める位置を基準として、その基準位置からハウジングの開口部の端面までの距離を、基準位置から受け溝の内周側の土手部の突端までの距離より大きく設定する。
【実施例】
【００１０】
図面を参照して本発明の実施例を説明する。
図３において、１は内視鏡の挿入部、２は操作部であり、光源装置５０に接続するためのコネクタ部４が、操作部２から延出する可撓性連結管３の先端に取り付けられている。
【００１１】
コネクタ部４の先端面部分には、光源装置５０に内蔵されている光源ランプ５１の集光位置に差し込まれるライトガイドコネクタ５と、回路部５２と接続されている光源装置５０側のコネクタ受け５３に対して接続／離脱自在な電気コネクタ６とが並んで突設されている。
【００１２】
図２はコネクタ部４を示しており、可撓性連結管３が後端部に連結されたハウジング１１の前端面は開口部になっていて、前方に向かって電気コネクタ６が突設された蓋体１２がその開口部を水密に塞ぐ状態に取り付けられている。なお、ハウジング１１内には電子回路等が内蔵され、電気コネクタ６内には接点ピン等が配置されているが、それらの図示は省略されている。
【００１３】
ハウジング１１の開口部１１ａの外壁面には、シール用のＯリング１３を嵌め込むためのＯリング装着溝１４が全周にわたって連続して形成されていて、その中に弾力性のあるゴム材料からなるＯリング１３が装着されている。Ｏリング１３は、Ｏリング装着溝１４内に装着されることによって、Ｏリング装着溝１４の内壁面と蓋体１２の内壁面との間で圧縮されて潰された状態になっている。
【００１４】
蓋体１２には、ハウジング１１の開口部１１ａの縁部が全周にわたって嵌め込まれる受け溝１５が形成されており、図１に示されるように、蓋体１２がハウジング１１の開口面に取り付けられる際に、ハウジング１１のＯリング装着溝１４に嵌め込まれているＯリング１３が蓋体１２側に触れるより先に、ハウジング１１の開口部１１ａの縁部が受け溝１５内に嵌まり込み始めるように形成されている。
【００１５】
即ち、そのようにするために受け溝１５の内周側の土手部１５ａの高さが設定されており、Ｏリング１３が蓋体１２に触り始める位置を基準として、その基準位置からハウジング１１の開口部１１ａの端面までの距離Ａが、基準位置から受け溝１５の内周側の土手部１５ａの突端までの距離Ｂより大きく（Ａ＞Ｂ）設定されている。
【００１６】
その結果、蓋体１２をハウジング１１の開口面に取り付ける際には、Ｏリング１３が蓋体１２に触れる前にハウジング１１の開口部１１ａの縁部が蓋体１２の受け溝１５内に嵌まり込んでいるので、その状態からさらにハウジング１１を受け溝１５内に押し込めば、Ｏリング１３が蓋体１２の内壁面で押し潰されながら、ハウジング１１の開口部１１ａの縁部が受け溝１５の底部まで嵌まり込む。
【００１７】
そのようにしてから、図示されていない固定部材により蓋体１２をハウジング１１に固定すればよく、ハウジング１１に対する蓋体１２の取り付けを容易かつ確実に行うことができる。
【図面の簡単な説明】
【００１８】
【図１】本発明の実施例の内視鏡のコネクタ部の組み立て途中の状態の側面断面図である。
【図２】本発明の実施例の内視鏡のコネクタ部の側面断面図である。
【図３】本発明の実施例の内視鏡の全体構成を示す外観図である。
【図４】従来の内視鏡のコネクタ部の側面断面図である。
【図５】従来の内視鏡のコネクタ部の組み立て途中の状態の側面断面図である。
【符号の説明】
【００１９】
３  可撓性連結管
４  コネクタ部
６  電気コネクタ
１１  ハウジング
１１ａ  開口部
１２  蓋体
１３  Ｏリング
１４  Ｏリング装着溝
１５  受け溝
１５ａ  内周側の土手部
５０  光源装置
【図１】
2005074122.tif 000003
【図２】
2005074122.tif 000004
【図３】
2005074122.tif 000005
【図４】
2005074122.tif 000006
【図５】
2005074122.tif 000007